(57)【要約】【課題】ＲＦタグのタグ識別子に関連付けてコンテンツに係る情報を管理している管理サーバを必要とせずに，ＲＦタグを取り付けた物品に係るコンテンツをユーザに配信できるシステムを提供する。【解決手段】コンテンツ配信システム１において，ＲＦタグ３は，ＲＦタグ発行者の団体コードおよび物品２の物品識別情報を含むタグデータを記憶する。携帯情報端末４は，ＲＦタグ発行者が運営しているウェブサイト５のアドレスをＲＦタグ発行者の団体コードに関連付けた状態で記憶し，携帯情報端末４のクライアント部４０は，ＲＦタグ３に記憶された団体コードに基づいて，ＲＦタグ３に記憶された物品識別情報を含むコンテンツリクエストの送信先を決定する。【選択図】図１
2019086893.tif 000002
【特許請求の範囲】
【請求項１】
物品に取り付けたＲＦタグと，前記ＲＦタグと無線通信するための無線通信モジュールを有する携帯情報端末と，前記ＲＦタグを発行したＲＦタグ発行者が運営しているウェブサイトとから少なくとも構成され，
前記ＲＦタグは，前記ＲＦタグの識別に用いるタグ識別子に加え，前記ＲＦタグ発行者の識別に用いる団体コードと前記ＲＦタグが貼られた物品の識別に用いる物品識別情報を含むタグデータを記憶し，
前記携帯情報端末は，前記ＲＦタグ発行者が運営しているウェブサイトのアドレスを前記ＲＦタグ発行者の前記団体コードに関連付けて記憶し，前記無線通信モジュールを利用して，前記ＲＦタグから前記タグデータを読み取ると，前記タグデータに含まれる前記団体コードに対応する前記ウェブサイトへ，前記ＲＦタグから読み取った前記タグデータの前記物品識別情報とコンテンツの配信先を示す配信先アドレスを含むコンテンツリクエストを送信する処理を実行するクライアント部を備える，
ことを特徴とするコンテンツ配信システム。
【請求項２】
前記コンテンツ配信システムが提供するサービスの識別に用いるサービス識別子を前記タグデータに含ませ，前記携帯情報端末のクライアント部は，前記ＲＦタグから読み取った前記タグデータに含まれる前記サービス識別子が前記携帯情報端末に登録されている場合のみ，前記コンテンツリクエストを送信する処理を実行する，
ことを特徴とする，請求項１に記載したコンテンツ配信システム。
【請求項３】
前記ＲＦタグのタグ識別子に関連付けて，前記ＲＦタグを取り付けた物品のトレーサビリティ情報を記憶しているデータセンタを含み，前記携帯情報端末は，前記データセンタのアドレスを記憶し，前記携帯情報端末の前記クライアント部は，前記コンテンツリクエストを送信する処理を実行する前に，前記ＲＦタグのタグ識別子に関連付けられている前記トレーサビリティ情報を前記データセンタから取得し，前記ＲＦタグから読み取った前記タグデータの前記団体コードが前記データセンタから取得した前記トレーサビリティ情報に含まれている場合のみ，前記コンテンツリクエストを送信する処理を実行する，
ことを特徴とする，請求項１または請求項２に記載したコンテンツ配信システム。
【発明の詳細な説明】
【技術分野】
【０００１】
本発明は，物品に取り付けたＲＦタグを利用して，ＲＦタグを取り付けた物品に係るコンテンツをユーザに配信する技術に関する。
【背景技術】
【０００２】
ポスターや商品などの物品に取り付けたＲＦタグを利用して，ＲＦタグを取り付けた物品に係るコンテンツをユーザに配信するＯ２Ｏ（Online to Offline）サービスがすでに提供されている。
【０００３】
ＲＦタグを取り付けた物品に係るコンテンツをユーザに配信するシステムは，特許文献１などで開示されているように，ＲＦタグからデータを読み取る機能を有する携帯情報端末と，携帯情報端末がＲＦタグから読み取ったタグ識別子に対応するコンテンツを特定し，特定したコンテンツを携帯情報端末に配信するネットワーク上のサーバとから少なくも構成される。
【０００４】
携帯情報端末に配信されるコンテンツの内容は任意でよく，特許文献２で開示されているシステムは，広告ＵＲＬ（Uniform Resource Identifier）をコンテンツとして携帯情報端末に配信するように構成されている。また，特許文献３で開示されているシステムは，ＥＣサイトにおいて，ＲＦタグから読み取ったタグ識別子が割り当てられている商品の内容を示すページをコンテンツとして携帯情報端末に配信するように構成されている。
【先行技術文献】
【特許文献】
【０００５】
【特許文献１】特開２０１４−２６４７０号公報
【特許文献２】特開２０１４−１６４４９３号公報
【特許文献３】特開２０１５−１３８２８０号公報
【発明の概要】
【発明が解決しようとする課題】
【０００６】
このように，物品に取り付けたＲＦタグを利用して，ＲＦタグを取り付けた物品に係るコンテンツをユーザに配信する様々なシステムがすでに開示されているが，従来技術では，コンテンツを記憶しているサーバとは別に，ＲＦタグの識別に用いるタグ識別子に関連付けて，ユーザに配信するコンテンツに係る情報を記憶した管理サーバが必要になる。
【０００７】
ＲＦタグを取り付けた物品に係る団体の数が多い場合や，ＲＦタグを貼り付ける物品の数が膨大になる場合，管理サーバを運営している団体の負荷が増え，ＲＦタグを取り付けた物品に係るコンテンツがユーザに配信されないなどといった問題が生じる可能性がある。
【０００８】
そこで，本発明は，ＲＦタグの識別に用いるタグ識別子に関連付けて，ユーザに配信するコンテンツに係る情報を管理している管理サーバを必要とせずに，ＲＦタグを取り付けた物品に係る情報をユーザに配信できるコンテンツ配信システムを提供することを目的とする。
【課題を解決するための手段】
【０００９】
上述した課題を解決する本発明に係る第１発明は，物品に取り付けたＲＦタグと，前記ＲＦタグと無線通信するための無線通信モジュールを有する携帯情報端末と，前記ＲＦタグを発行したＲＦタグ発行者が運営しているウェブサイトとから少なくとも構成されるコンテンツ配信システムである。
本発明に係る前記ＲＦタグは，前記ＲＦタグの識別に用いるタグ識別子に加え，前記ＲＦタグ発行者の識別に用いる団体コードと前記ＲＦタグが貼られた物品の識別に用いる物品識別情報を含むタグデータを記憶する。
本発明に係る前記携帯情報端末は，前記ＲＦタグ発行者が運営しているウェブサイトのアドレスを前記ＲＦタグ発行者の前記団体コードに関連付けて記憶し，前記無線通信モジュールを利用して，前記ＲＦタグから前記タグデータを読み取ると，前記タグデータに含まれる前記団体コードに対応する前記ウェブサイトへ，前記ＲＦタグから読み取った前記タグデータの前記物品識別情報とコンテンツの配信先を示す配信先アドレスを含むコンテンツリクエストを送信する処理を実行するクライアント部を備える。
【００１０】
また，本発明に係る第２発明は，第１発明に記載したコンテンツ配信システムにおいて，第１発明に記載したコンテンツ配信システムが提供するサービスの識別に用いるサービス識別子を前記タグデータに含ませ，前記携帯情報端末のクライアント部は，前記ＲＦタグから読み取った前記タグデータに含まれる前記サービス識別子が前記携帯情報端末のクライアント部に登録されている場合のみ，前記コンテンツリクエストを送信する処理を実行することを特徴とする。
【００１１】
また，本発明に係る第３発明は，第１発明または第２発明に記載したコンテンツ配信システムにおいて，前記ＲＦタグのタグ識別子に関連付けて，前記ＲＦタグを取り付けた物品のトレーサビリティ情報を記憶しているデータセンタを含み，前記携帯情報端末は，前記データセンタのアドレスを記憶し，前記携帯情報端末の前記クライアント部は，前記コンテンツリクエストを送信する処理を実行する前に，前記ＲＦタグのタグ識別子に関連付けられている前記トレーサビリティ情報を前記データセンタから取得し，前記ＲＦタグから読み取った前記タグデータの前記団体コードが前記データセンタから取得した前記トレーサビリティ情報に含まれている場合のみ，前記コンテンツリクエストを送信する処理を実行することを特徴とする。
【発明の効果】
【００１２】
上述した本発明によれば，ＲＦタグを発行したＲＦタグ発行者が運営しているウェブサイトのアドレスを前記ＲＦタグ発行者の団体コードに関連付けた状態で携帯情報端末に記憶させ，前記携帯情報端末は，前記ＲＦタグに記憶された団体コードに基づいて，コンテンツの物品識別情報とコンテンツの配信先アドレスを含むコンテンツリクエストの配信先を決定するので，ＲＦタグの識別に用いるタグ識別子に関連付けてコンテンツを管理している管理サーバがなくとも，ＲＦタグを取り付けた物品に係る情報をユーザに配信できる。
【図面の簡単な説明】
【００１３】
【図１】本実施形態に係るコンテンツ配信システムの構成を説明する図。
【図２】本実施形態に係るコンテンツ配信システムの機能ブロック図。
【図３】ＲＦタグが記憶するタグデータの構造を説明する図。
【図４】本実施形態に係るコンテンツ配信システムの動作を説明。
【図５】携帯情報端末が物品のトレーサビリティを確認する動作を説明する図。
【発明を実施するための形態】
【００１４】
ここから，本発明の好適な実施形態を記載する。なお，以下の記載は本発明の技術的範囲を束縛するものでなく，理解を助けるために記述するものである。
【００１５】
図１は，本実施形態に係るコンテンツ配信システム１の構成を説明する図である。本実施形態に係るコンテンツ配信システム１は，物品２に取り付けたＲＦタグ３を利用して，ＲＦタグ３を取り付けた物品２に係るコンテンツをユーザに配信するシステムである。
【００１６】
図１で図示したように，本実施形態に係るコンテンツ配信システム１は，物品２に取り付けたＲＦタグ３と，ＲＦタグ３と無線通信する機能を有する携帯情報端末４と，ＲＦタグ３を発行した団体であるＲＦタグ発行者が運営しているウェブサイト５とから少なくとも構成される。図１では，ＲＦタグ３を発行したＲＦタグ発行者は一つではなく，ＲＦタグ３を発行した複数のＲＦタグ発行者のウェブサイト５（ここでは，３つ）がインターネット７に接続している。更に，図１では，ＲＦタグ３を取り付けた物品２に係るトレーサビリティ情報を記憶しているデータセンタ６を図示している。
【００１７】
図２は，本実施形態に係るコンテンツ配信システム１の機能ブロック図である。
【００１８】
ＲＦタグ３は，無線による個体識別で用いられるデバイスで，無線通信を行うためのＲＦ回路３１と，データを記憶するメモリ３２と，ＲＦタグ３の動作を制御するＩＣチップ３０を備える。図１では，ＲＦタグ３を取り付ける物品２として製品を梱包している箱を図示しているが，ＲＦタグ３を取り付ける物品２は任意でよい。ＲＦタグ３を取り付ける物品２としては，ポスターなどの広告媒体も考えられる。
【００１９】
図３は，ＲＦタグ３が記憶するタグデータの構造を説明する図である。ＲＦタグ３には，ＲＦタグ３の識別に用いられるタグ識別子に加えてタグデータが記憶される。図３で図示したように，本実施形態に係るタグデータは，サービス識別子，団体コードおよび物品識別情報を含む。なお，ＲＦタグ３に記憶するタグデータには，これ以外のデータを含ませることができる。
【００２０】
ＲＦタグ３が記憶するタグ識別子はＲＦタグ３ごとに固有なデータで，外部装置（ここでは，携帯情報端末４）との無線通信で用いられるデータである。ＲＦタグ３が記憶するタグデータは，コンテンツの配信に利用されるデータである。
【００２１】
タグデータに含まれるサービス識別子は，本実施形態に係るコンテンツ配信システム１が提供するサービスの識別に用いるデータである。ＲＦタグ３が記憶するタグデータにサービス識別子を含ませているのは，ＲＦタグ３を利用して物品２に係るコンテンツをユーザに配信する様々なシステムが混在して運用された場合，本実施形態に係るコンテンツ配信システム１に適合しているか否かを判断することが必要になるからである。
【００２２】
団体コードはＲＦタグ発行者等の団体の識別に用いるコードで，タグデータに含まれる団体コードは，ＲＦタグ発行者の団体コードになり，タグデータに含まれる団体コードによって，タグデータの物品識別情報を含むコンテンツリクエストの配信先が示されることになる。
【００２３】
タグデータに含まれる物品識別情報は，ＲＦタグ３が取り付けられた物品２の識別に用いられるデータである。図３では，タグデータの物品識別情報に，ＲＦタグ３を取り付けた物品２の種別を示す物品コードと，ＲＦタグ３を取り付けた物品２ごとに固有なユニーク番号を含ませている。物品識別情報に物品コードを含ませることで，団体コードに対応するＲＦタグ発行者が提供しているコンテンツの中から，物品２の種別に対応したコンテンツの絞り込みを行える。また，タグデータにユニーク番号を含ませることで，団体コードに対応するＲＦタグ発行者が提供しているコンテンツの中から，物品２ごとに個別なコンテンツの絞り込みを行える。なお，図３では，タグデータの物品識別情報に物品コードとユニーク番号を含ませているが，タグデータの物品識別情報に含ませるデータは，物品コードとユニーク番号のいずれか一方でもよい。
【００２４】
次に，携帯情報端末４について説明する。本実施形態に係る携帯情報端末４とは，ネットワーク通信機能を備え，インターネットに接続しているサーバ（ここでは，ウェブサイトになる）を利用できるように構成された装置を意味する。図１では，本発明に係る携帯情報端末４の好適な形態として，携帯情報端末４をスマートフォンとして図示している。本実施形態に係るコンテンツ配信システム１では，本実施形態に係るコンテンツ配信システム１で扱うＲＦタグ３のタグ識別子すべてを携帯情報端末４に記憶させる必要がないので，小型のスマートフォンを携帯情報端末４に利用できる。スマートフォン以外の端末としては，ＰＤＡ（PDA：Personal Digital Assistant )に係る端末を携帯情報端末４に利用できる。
【００２５】
スマートフォンとして図示した携帯情報端末４は，携帯情報端末４の動作を制御するアプリケーションプロセッサ４１を備え，アプリケーションプロセッサ４１には，ＲＦタグ３との無線通信を行うための無線通信モジュール４２，移動体通信を行うための移動体通信モジュール４３，メインメモリとなるＲＡＭ４４，電気的に書き換え可能な不揮発性メモリである内蔵ストレージ４５，表示機能と操作機能を兼ね備えたタッチパネル４６などが接続される。
【００２６】
移動体通信を行うための移動体通信モジュール４３は，市販されているスマートフォンが備えるものを利用できるためここでは説明を省くが，近距離通信モジュール（例えば，Ｗｉｆｉ（登録商標））を移動体通信モジュール４３の代わりに利用できる。また，ＲＦタグ３との無線通信を行うための無線通信モジュール４２としては，ＮＦＣチップ（NFC: Near Field Communication）が有名で，市販されている多くのスマートフォンにＮＦＣチップが実装されている。
【００２７】
携帯情報端末４は，コンピュータプログラムにより実現される機能として，クライアント部４０を備える。携帯情報端末４の内蔵ストレージ４５には，クライアント部４０として機能するコンピュータプログラム（アプリケーションになる）が記憶され，このコンピュータプログラムが実行されることで，携帯情報端末４のアプリケーションプロセッサ４１はクライアント部４０として機能する。携帯情報端末４が備えるクライアント部４０が実行する処理については後述する。
【００２８】
携帯情報端末４の内蔵ストレージ４５には，本実施形態に係るコンテンツ配信システム１に必要なデータとして，ウェブサイト５のアドレス（例えば，ＵＲＬやＩＰアドレス）が，ウェブサイト５を運営しているＲＦタグ発行者の団体コードに関連付けた状態で記憶される。
【００２９】
次に，ウェブサイト５について説明する。ウェブサイト５は，複数のサーバで構成することもできるが，図２では，一つのサーバでウェブサイト５を構成した例を図示している。ウェブサイト５は，ウェブサイト５の動作を制御するプロセッサ５１を備え，プロセッサ５１には，ネットワーク通信を行うためのネットワーク通信モジュール５２，メインメモリとなるＲＡＭ５３，大容量のハードディスクなどで実現される外部ストレージ５４などが接続される。
【００３０】
ウェブサイト５は，コンピュータプログラムにより実現される機能として，コンテンツ配信部５０を備える。ウェブサイト５の外部ストレージには，コンテンツ配信管理部として機能するコンピュータプログラムが記憶され，このコンピュータプログラムが実行されることで，ウェブサイト５のプロセッサはコンテンツ配信部５０として機能する。ウェブサイト５が備えるコンテンツ配信部５０が実行する処理については後述する。
【００３１】
ウェブサイト５の外部ストレージ５４には，本実施形態に係るコンテンツ配信システム１に必要なデータとして，ウェブサイト５を運営しているＲＦタグ発行者に関連する物品２に係るコンテンツを物品２の物品識別情報に関連付けて記憶したデータベースが構築される。ＲＦタグ３に記憶させるタグデータの物品識別情報に物品コードを含ませる場合，物品２に係るコンテンツは，物品２の物品コードに少なくとも関連付けられた状態でウェブサイト５に記憶される。また，ＲＦタグ３に記憶させるタグデータの物品識別情報にユニーク番号を含ませる場合，物品２に係るコンテンツは，物品２のユニーク番号に少なくとも関連付けられた状態でウェブサイト５に記憶される。
【００３２】
ウェブサイト５と接続しているデータセンタ６は，データセンタ６を運営しているＲＦタグ発行者が発行したＲＦタグ３のタグ識別子に関連付けて，ＲＦタグ３を取り付けた物品２のトレーサビリティ情報を記憶している。物品２のトレーサビリティ情報には，製造から販売までの流通経路に含まれる団体で，正式な流通経路には，ＲＦタグ３からデータを読み取った団体の団体コードが含まれる。
【００３３】
ここから，本実施形態に係るコンテンツ配信システム１の動作について説明し，携帯情報端末４が備えるクライアント部４０およびウェブサイト５のコンテンツ配信部５０の機能について，それぞれ詳細に説明する。
【００３４】
図４は，本実施形態に係るコンテンツ配信システム１の動作を説明する図である。
【００３５】
本実施形態に係るコンテンツ配信システム１を利用するユーザが，ＲＦタグ３が取り付けられた物品２に係るコンテンツの提供を受ける際，携帯情報端末４のタッチパネル４６を利用して，クライアント部４０として機能するコンピュータプログラムを起動させる操作を行うと，携帯情報端末４でクライアント部４０が起動する（Ｓ１）。
【００３６】
携帯情報端末４でクライアント部４０が起動した後，携帯情報端末４のタッチパネル４６が利用されて，ＲＦタグ３からタグデータを読み取る操作をユーザが行うと（Ｓ２），携帯情報端末４のクライアント部４０は，無線通信モジュール４２を利用して，ＲＦタグ３とのシーケンスを開始するコマンドであるシーケンス開始コマンドを送信する処理（Ｓ３）を行う。
【００３７】
物品２に貼られたＲＦタグ３は，携帯情報端末４の無線通信モジュール４２が発信する搬送波によって活性化し，携帯情報端末４が送信したシーケンス開始コマンドを受信すると，ＲＦタグ３が記憶しているタグ識別子を含むシーケンス開始コマンドのレスポンスを送信する（Ｓ４）。携帯情報端末４の無線通信モジュール４２がこのレスポンスを受信することで，携帯情報端末４のクライアント部４０は，物品２に貼られたＲＦタグ３が記憶しているタグ識別子を取得する。
【００３８】
携帯情報端末４のクライアント部４０は，物品２に貼られたＲＦタグ３が記憶しているタグ識別子を取得すると，携帯情報端末４の無線通信モジュール４２を利用して，タグ識別子を取得したＲＦタグ３が記憶しているデータ（ここでは，タグデータになる）を読み取るリードコマンドを送信する処理（Ｓ５）を実行する。
【００３９】
物品２に貼られたＲＦタグ３は，携帯情報端末４が送信したリードコマンドを受信すると，ＲＦタグ３が記憶しているタグデータを含むリードコマンドのレスポンスを送信し（Ｓ６），携帯情報端末４の無線通信モジュール４２がこのレスポンスを受信することで，携帯情報端末４のクライアント部４０は，物品２に貼られたＲＦタグ３が記憶しているタグデータを取得する。
【００４０】
物品２に貼られたＲＦタグ３が記憶しているタグデータを取得すると，携帯情報端末４のクライアント部４０は，タグデータに含まれるサービス識別子を確認する処理（Ｓ７）を実行する。携帯情報端末４のクライアント部４０には，コンテンツ配信システム１が提供するサービスを示すサービス識別子が予め登録されており，携帯情報端末４のクライアント部４０は，携帯情報端末４のクライアント部４０に登録されているサービス識別子と，タグデータのサービス識別子を照合することで，ＲＦタグ３に記憶されているタグデータのサービス識別子を確認する。
【００４１】
携帯情報端末４のクライアント部４０に登録されているサービス識別子と，タグデータのサービス識別子が一致しない場合，携帯情報端末４のクライアント部４０は，物品２に貼られているＲＦタグ３は本実施形態に係るコンテンツ配信システム１に適合したものではないと判断し，これ以降の処理を中止する（Ｓ７ａ）。
【００４２】
携帯情報端末４のクライアント部４０に登録されているサービス識別子と，タグデータのサービス識別子が一致する場合，携帯情報端末４のクライアント部４０は，タグデータに含まれる団体コードを特定する処理（Ｓ８）を実行する。携帯情報端末４のクライアント部４０には，タグデータのフォーマットが予め登録されており，携帯情報端末４のクライアント部４０は，タグデータのフォーマットを参照してタグデータを解析し，タグデータに含まれる団体コードを特定する。
【００４３】
次に，携帯情報端末４のクライアント部４０は，タグデータに含まれる団体コードに関連付けられているウェブサイト５のアドレス（ＲＦタグ３を発行したＲＦタグ発行者が運営しているウェブサイト５のアドレスになる）を特定する処理（Ｓ９）を実行した後，特定したウェブサイト５のアドレスに，ＲＦタグ３から取得したタグデータに含まれる物品識別情報と，コンテンツの配信先を示す配信先アドレスをそれぞれ含むコンテンツリクエストを送信する処理（Ｓ１０）を実行する。コンテンツの配信先を示す配信先アドレスは，携帯情報端末４のアドレス（ＩＰアドレス）でもよいが，ユーザが指定したアドレス（例えば，ユーザのメールアドレス）であってもよい。
【００４４】
タグデータが携帯情報端末４から転送されたウェブサイト５のコンテンツ配信部５０は，このウェブサイト５が記憶しているコンテンツの中から，コンテンツリクエストに含まれる物品識別情報に適合するコンテンツを検索する処理（Ｓ１１）を実行する。タグデータの物品識別情報に物品コードが含まれる場合，ウェブサイト５のコンテンツ配信部５０は，ウェブサイト５が記憶しているコンテンツの中から，タグデータの物品識別情報に含まれる物品コードが関連付けられているコンテンツを検索する。また，タグデータの物品識別情報にユニーク番号が含まれる場合，ウェブサイト５のコンテンツ配信部５０は，ウェブサイト５が記憶しているコンテンツの中から，タグデータの物品識別情報に含まれるユニーク番号が関連付けられているコンテンツを検索する。
【００４５】
タグデータの物品識別情報に適合するコンテンツを検索すると，ウェブサイト５のコンテンツ配信部５０は，検索することで得られたコンテンツにアクセスするための情報を記したアクセスコード（例えば，検索することで得られたコンテンツのＵＲＬ）を生成する処理（Ｓ１２）を実行する。
【００４６】
携帯情報端末４は，アクセスコードを生成すると，コンテンツリクエストに含まる配信先アドレスに対してアクセスコードを送信する処理（Ｓ１３）を実行して，図４の手順は終了する。
【００４７】
ウェブサイト５からアクセスコードが携帯情報端末４などに送信された後，ユーザは，このアクセスコードを利用して，タグデータを読み取ったＲＦタグ３が取り付けられた物品２に係るコンテンツにアクセスし，ＲＦタグ３が取り付けられた物品２に係るコンテンツを見ることができる。ユーザに提供するコンテンツとしては，物品２の価格，物品２の仕様書，物品２の取り扱い方，物品２の保証範囲・期間，関連する他の物品情報などが想定できる。
【００４８】
このように，本実施形態に係るコンテンツ配信システム１によれば，ＲＦタグ発行者が運営しているウェブサイト５のアドレスをＲＦタグ発行者の団体コードに関連付けた状態で携帯情報端末４に記憶させ，携帯情報端末４は，ＲＦタグ３に記憶された団体コードに基づいて，ＲＦタグ３に記憶された物品識別情報を含むコンテンツリクエストの配信先を決定するので，ＲＦタグ３の識別に用いるタグ識別子に関連付けて，ユーザに配信するコンテンツの提供元に係るコンテンツを管理している管理サーバを必要とせず，ＲＦタグ３を取り付けた物品２に係る情報をユーザに配信できる。
【００４９】
本実施形態のコンテンツ配信システム１には，ＲＦタグ３を取り付けた物品２のトレーサビリティ情報を記憶しているデータセンタを含ませているので，携帯情報端末４が，コンテンツリクエストをウェブサイト５に送信する前に，ＲＦタグ３を取り付けた物品２のトレーサビリティを確認するように構成することができる。ＲＦタグ３を取り付けた物品２のトレーサビリティを確認することで，ＲＦタグ３の貼り替えの有無などを確認できる。
【００５０】
図５は，携帯情報端末４が物品２のトレーサビリティを確認する動作を説明する図で，図５で図示した処理は，図４のＳ８からＳ９の間で実行される。
【００５１】
携帯情報端末４が物品２のトレーサビリティを確認する際，ＲＦタグ発行者が運営しているウェブサイト５のアドレスに加えて，ＲＦタグ３が貼られた物品２に係るトレーサビリティ情報を提供するデータセンタ６のアドレスが携帯情報端末４に登録される。図５のＳ２０において，携帯情報端末４のクライアント部４０は，携帯情報端末４に登録されたデータセンタ６のアドレスに対して，ＲＦタグ３から取得したタグ識別子を含むトレーサビリティリクエストを送信し，図５のＳ２１において，トレーサビリティリクエストを受信したデータセンタ６は，トレーサビリティリクエストに含まれるタグ識別子に関連付けられているトレーサビリティ情報を検索し，図５のＳ２２において，データセンタ６は，検索したトレーサビリティ情報を携帯情報端末４へ送信する。
【００５２】
携帯情報端末４のクライアント部４０は，図４のＳ４でＲＦタグ３から取得したタグデータに含まれる団体コードが，データセンタ６から受信したトレーサビリティ情報に含まれているか確認する処理（Ｓ２３）を実行する。ＲＦタグ３から取得したタグデータに含まれる団体コードが，データセンタから受信したトレーサビリティ情報に含まれていなければ，携帯情報端末４のクライアント部４０は，ＲＦタグ３が貼り替えられた可能性があると判定し，図４のＳ９以降の処理を中止して（Ｓ２４），図５の手順は終了する。また，ＲＦタグ３から取得したタグデータに含まれる団体コードが，データセンタ６から受信したトレーサビリティ情報に含まれていれば，携帯情報端末４のクライアント部４０は，図４のＳ９以降の処理を実行する。
【符号の説明】
【００５３】
１    コンテンツ配信システム
２    物品
３    ＲＦタグ
４    携帯情報端末
４０  クライアント部
５    ウェブサイト
５０  コンテンツ配信部
６    データセンタ
【図１】
2019086893.tif 000003
【図２】
2019086893.tif 000004
【図３】
2019086893.tif 000005
【図４】
2019086893.tif 000006
【図５】
2019086893.tif 000007